(57)【要約】【課題】コード変更を永久的に繰り返して行える可変コード型シリンダー錠を提供すること。【解決手段】内筒２に穿設された内筒側摺動孔３１と、内筒側摺動孔３１に収容されるコードピン３２と、コードピン３２に外筒１側から当接してコードピン３２の長さを延長する可変ピン３３と、コードピン３２が基準位置Ｘにあるときに内筒側摺動孔３１と連通するように外筒１に穿設された外筒側摺動孔３４と、外筒側摺動孔３４に収容されてかつスプリング３５により内筒２側に付勢されるドライバーピン３６と、コードピン３２がコード変更位置Ｙにあるときに内筒側摺動孔３１と連通するように外筒１に穿設された外筒側摺動孔３７と、外筒側摺動孔３７に収容されてかつスプリング３８により内筒２側に付勢されるドライバーピン３９とを備えることとする。【選択図】　　図１
2004011233.tif 000002
【特許請求の範囲】
【請求項１】
外筒と、内筒と、前記内筒に穿設された摺動孔に収容されるコードピンと、前記外筒に穿設された摺動孔に収容されてかつ前記内筒側に付勢されるドライバーピンと、前記コードピンと前記ドライバーピンとの間に介置される可変ピンと、前記可変ピンを前記コードピンと前記ドライバーピンの間から取り除いて当該可変ピンを収容する可変ピン収容手段と、前記取り除かれた可変ピンを前記コードピンと前記ドライバーピンとの間に復帰させる可変ピン復帰手段とを備え、コード変更を可逆的に行えるようにしたことを特徴とする可変コード型シリンダー錠。
【請求項２】
外筒と、内筒と、前記内筒に穿設された内筒側摺動孔と、前記内筒側摺動孔に収容されるコードピンと、前記コードピンに前記外筒側から当接して当該コードピンの長さを延長する可変ピンと、
前記コードピンが基準位置Ｘにあるときに前記内筒側摺動孔と連通するように前記外筒に穿設された第１外筒側摺動孔と、前記第１外筒側摺動孔に収容されてかつスプリングにより前記内筒側に付勢される第１ドライバーピンと、
前記コードピンがコード変更位置Ｙにあるときに前記内筒側摺動孔と連通するように前記外筒に穿設された第２外筒側摺動孔と、前記第２外筒側摺動孔に収容されてかつスプリングにより前記内筒側に付勢される第２ドライバーピンとを備え、
前記コードピンがコード変更位置Ｙにあるときに、前記可変ピンを前記第２ドライバーピンの付勢に逆らって前記第２外筒側摺動孔に収容させるか、または前記可変ピンを前記第２ドライバーピンの付勢に従って前記内筒側摺動孔に収容させるか、のいずれか一方を選択した上で前記コードピンを基準位置Ｘに戻すことにより、前記コードピンの長さの変更によるコード変更が可逆的に行えるようにしたことを特徴とする可変コード型シリンダー錠。
【請求項３】
コード変更時における内筒の回動範囲を基準位置Ｘからコード変更位置Ｙに限定するとともに、当該回動範囲が通常操作時における内筒の回動範囲と重複しないように規制する回動規制手段を備えたことを特徴とする請求項２に記載の可変コード型シリンダー錠。
【発明の詳細な説明】
【０００１】
【発明の属する技術分野】
本発明は、シリンダー錠に関し、特に、コード変更が可能なシリンダー錠に関する。
【０００２】
【従来の技術】
従来、予め用意された変更鍵の数分だけコードを変換できる、いわゆる使い切り式の可変コード型シリンダー錠が知られている。このようなシリンダー錠は、図１３に示すように、外筒１と、内筒２と、この内筒２に穿設された内筒側摺動孔３１と、この内筒側摺動孔３１に収容されるコードピン３２と、このコードピン３２に外筒１側から当接してコードピン３２の長さを延長する可変ピン３３とを備えている。また、コードピン３２が基準位置にあるときに内筒側摺動孔３１と連通するように外筒１に穿設された外筒側摺動孔３４と、この外筒側摺動孔３４に収容されてかつスプリング３５により内筒１側に付勢されるドライバーピン３６とを備えている。さらに、内筒２を所定角度回動させたところで外筒側摺動孔３４に向けて開口するように内筒２に穿設された可変ピン収容孔６とを備えている。この構成を複数段備えることにより、複数回のコード変更が可能となる。
【０００３】
次に、上記シリンダー錠の作用について説明する。
通常操作は、図１３（ｂ−１）〜（ｂ−３）に示すように、通常鍵ＮＫを鍵穴２ａに差し込んだ状態で時計回りに回転させることによって行う。このとき、常に、可変ピン３３が内筒側摺動孔３１に収容されてかつ当該可変ピン３３とドライバーピン３６の当接面が内筒２の外周面上に位置しているために、内筒２は図１３の（ｂ−２）から（ｂ−３）の範囲で回動可能となる。
【０００４】
コード変更は、図１３（ｃ−１）〜（ｃ−３）に示すように、通常鍵ＮＫの代わりに変更鍵ＣＫを用いることによって行う。すなわち、コードピン３２が基準位置にあるときに、変更鍵ＣＫを鍵穴２ａに差し込むことによって、可変ピン３３がドライバーピン３６の付勢に逆らって外筒側摺動孔３４に収容されてかつ当該可変ピン３３とコードピン３２の当接面が内筒２の外周面上に位置した状態となる（図１３（ｃ−１）参照）。
次に、変更鍵ＣＫを差し込んだ状態のまま、すなわち可変ピン３３が外筒側摺動孔３４に収容された状態のままで、可変ピン収容孔６が基準位置にくるまで回動操作する（図１３（ｃ−２）参照）。これにより、外筒側摺動孔３４に収容された可変ピン３３がドライバーピン３６の付勢に従って可変ピン収容孔６に収容されることとなる。
続いて、変更鍵ＣＫを差し込んだ状態のまま、すなわち可変ピン３３が収容孔６に収容された状態のままで、内筒側摺動孔３１が基準位置にくるまで回動操作する（図１３（ｃ−３）参照）。このようにして、コードピン３２に当接して当該コードピン３２の長さを延長していた可変ピン３３が取り除かれることにより、コードピン３２の見かけ上の長さが短くなり、コードが変更される。
【０００５】
このようなシリンダー錠を集合住宅に用いれば、住人が鍵を紛失してしまっても、管理人が当該シリンダー錠のコードを新しいものに変更することにより、紛失した鍵を使用できなくすると同時に新しい鍵を有効にできる。
また、上記シリンダー錠は、管理者が保守点検作業などを複数の作業者に委託するような場合においても有効である。なぜなら、ある作業領域の担当を作業者Ａから作業者Ｂに引き継ぐようなときに、作業者Ａが用いていた鍵の使用を禁止するとともに、作業者Ｂの鍵を有効にする旨の処置を、シリンダー錠を交換することなく迅速に行えるからである。
【０００６】
【発明が解決しようとする課題】
しかしながら、上記シリンダー錠においては、コード変更を行える回数が有限のため、当該変更回数を使い果たしてしまうと、それ以降はコード変更が行えず、シリンダー錠を交換して対応するしかなかった。
【０００７】
このことから、上述した管理者が複数の作業者に委託する場合において、ある作業領域の担当が作業者Ａから複数の作業者を経て再び作業者Ａに戻ることになっても、かつて作業者Ａが用いていたコードを再び使用することはできず、新しいコードを用いるしかなかった。すなわち、たとえ８段階可変方式のものであっても、Ａ→Ｂ→Ｃを１サイクルとしてローテーションを組んだ場合は４サイクル目に入るときに全てのシリンダー錠を取り替える必要があった。
【０００８】
また、鍵の紛失は短期間に何度も起こるものではなく、多くて１年に１度あるかないかである。となると、８段階可変方式のものを１年に１段階ずつ使用した場合、８段階すべてを使い切るには少なくとも８年はかかることになる。このような長い期間が経過すると、紛失した鍵によって進入される可能性は極めて小さくなるので、８年前に使用していたコードをまた復活させてもいいはずなのであるが、従来のシリンダー錠ではそのようなことはできなかった。
【０００９】
さらに、鍵の紛失が使用者の思い違いによる一時的な出来事に過ぎない場合であっても、一度コード変更してしまうと元に戻すことはできないため、有限の可変コードを無駄に使ってしまい、シリンダーの寿命を短くすることになっていた。
【００１０】
本発明はこのような問題を解決すべくなされたものであり、その目的は、コード変更を永久的に繰り返して行える可変コード型シリンダー錠を提供することにある。
【００１１】
本発明の別の目的は、上記目的に加えて、コード変更を迅速かつ安全に行える可変コード型シリンダー錠を提供することにある。
【００１２】
本発明のさらに別の目的は、上記目的に加えて、従来の可変コード型シリンダーの構造を大幅に変更することなく、簡易な構造でかつ低コストで製造できる可変コード型シリンダー錠を提供することにある。
【００１３】
【課題を解決するための手段】
上記目的を達成するために、本発明は、外筒と、内筒と、前記内筒に穿設された摺動孔に収容されるコードピンと、前記外筒に穿設された摺動孔に収容されてかつ前記内筒側に付勢されるドライバーピンと、前記コードピンと前記ドライバーピンとの間に介置される可変ピンと、前記可変ピンを前記コードピンと前記ドライバーピンの間から取り除いて当該可変ピンを収容する可変ピン収容手段と、前記取り除かれた可変ピンを前記コードピンと前記ドライバーピンとの間に復帰させる可変ピン復帰手段とを備え、コード変更を可逆的に行えるようにしたことを特徴とする可変コード型シリンダー錠とした。
【００１４】
また、本発明の可変コード型シリンダー錠は、外筒と、内筒と、前記内筒に穿設された内筒側摺動孔と、前記内筒側摺動孔に収容されるコードピンと、前記コードピンに前記外筒側から当接して当該コードピンの長さを延長する可変ピンと、前記コードピンが基準位置Ｘにあるときに前記内筒側摺動孔と連通するように前記外筒に穿設された第１外筒側摺動孔と、前記第１外筒側摺動孔に収容されてかつスプリングにより前記内筒側に付勢される第１ドライバーピンと、前記コードピンがコード変更位置Ｙにあるときに前記内筒側摺動孔と連通するように前記外筒に穿設された第２外筒側摺動孔と、前記第２外筒側摺動孔に収容されてかつスプリングにより前記内筒側に付勢される第２ドライバーピンとを備え、前記コードピンがコード変更位置Ｙにあるときに、前記可変ピンを前記第２ドライバーピンの付勢に逆らって前記第２外筒側摺動孔に収容させるか、または前記可変ピンを前記第２ドライバーピンの付勢に従って前記内筒側摺動孔に収容させるか、のいずれか一方を選択した上で前記コードピンを基準位置Ｘに戻すことにより、前記コードピンの長さの変更によるコード変更が可逆的に行えるようにした。
【００１５】
さらに、上記シリンダー錠において、コード変更時における内筒の回動範囲を基準位置Ｘからコード変更位置Ｙに限定するとともに、当該回動範囲が通常操作時における内筒の回動範囲と重複しないように規制する回動規制手段を備えることとした。
【００１６】
【発明の実施の形態】
以下、本発明の一実施形態を添付図面に基づいて説明する。
【００１７】
（基本構成）
図１は本実施形態に係る可変コード型シリンダー錠の横断面図であり、図２は同シリンダー錠の縦断面図である。
このシリンダー錠は、図１に示すように、外筒１と、内筒２と、可変コード生成部３と、固有コード生成部４とから構成されている。ここで、固有コード生成部４で生成されるコードは、各シリンダー錠に固有のものであり、後から変更することができない。これに対し、可変コード生成部３で生成されるコードは、後述する手順にしたがってコード変更が可能であり、しかもそのコード変更は可逆的に行える。
【００１８】
また、このシリンダー錠は、図２に示すように、５段の可変コード生成部３と、４段の固有コード生成部４とをそれぞれ有している。これにより、安全性に優れた固有コードを生成できるとともに、８種類の可変コード（＃１〜８）を生成することができる。
【００１９】
以下、鍵穴２ａから最も離れた５段目の可変コード生成部３及び４段目の固有コード生成部４の構成について説明するが、他の段における構成も下記と同様である。
【００２０】
（可変コード生成部の構成）
可変コード生成部３は、図１の符号３１〜３９により構成されている。すなわち、内筒２に穿設された内筒側摺動孔３１と、この内筒側摺動孔３１に収容されるコードピン３２と、このコードピン３２に外筒１側から当接してコードピン３２の見かけ上の長さを長くする可変ピン３３とを備えている。
また、通常の状態、すなわちコードピン３２が基準位置Ｘにあるときに内筒側摺動孔３１と連通するように外筒１に穿設された外筒側摺動孔３４と、外筒側摺動孔３４に収容されてかつスプリング３５により内筒２側に付勢されるドライバーピン３６とを備えている。
さらに、内筒２を回動操作して、コードピン３２がコード変更位置Ｙにあるときに内筒側摺動孔３１と連通するように外筒１に穿設された外筒側摺動孔３７と、外筒側摺動孔３７に収容されてかつスプリング３８により内筒２側に付勢されるドライバーピン３９とを備えている。
【００２１】
（固有コード生成部の構成）
固有コード生成部４は、図１の符号４１〜４８により構成されている。すなわち、内筒２に穿設された内筒側摺動孔４１と、この内筒側摺動孔４１に収容されるコードピン４２とを備えている。
また、通常の状態、すなわちコードピン３２が基準位置Ｘにあるときに内筒側摺動孔４１と連通するように外筒１に穿設された外筒側摺動孔４３と、外筒側摺動孔４３に収容されてかつスプリング４４により内筒２側に付勢されるドライバーピン４５とを備えている。
さらに、内筒２を回動操作して、コードピン３２がコード変更位置Ｙにあるときに内筒側摺動孔４１と連通するように外筒１に穿設された外筒側摺動孔４６と、この外筒側摺動孔４６に収容されてかつスプリング４７により内筒２側に付勢されるドライバーピン４８とを備えている。
【００２２】
以下、上記シリンダー錠に用いる２種類の鍵（変更鍵と通常鍵）、及びこれらの鍵に対する回動規制手段の構成及び作用について説明する。
【００２３】
（変更鍵・通常鍵の構成）
変更鍵は、シリンダー錠のコードを変更するときに用いる鍵であり、ＣＫ１〜ＣＫ８の８種類用意されている。これらのうち変更鍵ＣＫ１とＣＫ２について説明すると、図３（ａ）に示すように、キープレートＣＫ１ａ、２ａには回転規制用の切欠き部ＣＫ１ｂ、２ｂと、可変コード生成部３に作用する可変コード部ＣＫ１ｃ、２ｃと、固有コード生成部４に作用する固有コード部（図示せず）がそれぞれ形成されている。なお、図示した変更鍵はＣＫ１及びＣＫ２のみであるが、その他の変更鍵（ＣＫ３〜８）についても、可変コード部（ＣＫ３ｃ〜８ｃ）の構成がそれぞれ相違する他は、切欠き部（ＣＫ３ｂ〜８ｂ）の形成位置と固有コード部の構成はそれぞれ共通している。
【００２４】
通常鍵は、通常の開閉操作をするときに用いる鍵であり、ＮＫ１〜ＮＫ８の８種類用意されている。通常鍵ＮＫ１とＮＫ２は、図３（ｂ）に示すように、上記変更鍵ＣＫ１とＣＫ２に比べて、切欠き部ＮＫ１ｂ、２ｂの形成位置が相違する他は、当該変更鍵とほぼ同様な構成を有している。また、図示しないが、その他の通常鍵（ＮＫ３〜８）も同様な構成を有している。
【００２５】
（鍵の回動規制）
外筒１は、図４（ａ）に示すように、鍵穴２ａを挟んで左右に２本の回動規制ピン５ａ、５ｂを備えている。回動規制ピン５ａは、図４（ｂ）及び図５（ｂ）に示すように、通常鍵ＮＫの切欠き部に対応する位置に形成されている。他方、回動規制ピン５ｂは、図４（ｃ）及び図５（ａ）に示すように、変更鍵ＣＫの切欠き部に対応する位置に形成されている。この構成により、通常鍵ＮＫを時計回りに回動操作するときは回動規制ピン５ａに拘束されることなく回動するが、反時計回りに回動操作するときは回動規制ピン５ｂに拘束されて回動しない（図５（ｂ）参照）。他方、変更鍵ＣＫ１〜８を反時計回りに回動操作するときは回動制御ピン５ｂに拘束されることなく回動するが、時計回りに回動操作するときは回動規制ピン５ａに拘束されて回動しない（図５（ａ）参照）。
【００２６】
内筒２は、図４（ｂ）及び（ｃ）に示すように、２本の回動規制溝２ｂ、２ｃを備えている。回動規制溝２ｂは、上記回動規制ピン５ａに対応する位置に形成されており、通常鍵ＮＫの回動範囲を決めている。他方、回動規制溝２ｃは、上記回動規制ピン５ｂに対応する位置に形成されており、変更鍵ＣＫの回動範囲をコード変更位置Ｙまでの範囲に限定している。
【００２７】
このように、外筒１に回動制御ピン５ａ、５ｂを備えてかつ内筒２に回動制御溝２ｂ、２ｃを備えることにより、変更鍵ＣＫを用いたコード変更時における内筒２の回動範囲を基準位置Ｘからコード変更位置Ｙの範囲に限定するとともに、当該回動範囲が通常鍵ＮＫを用いた通常操作時における内筒２の回動範囲と重複しないように回動方向を規制できるので、コード変更に係る操作を間違わずに確実かつ迅速に行うことができ、安全性も確保できる。
【００２８】
以下、上記構成のシリンダー錠の作用について説明する。なお、以下の説明ではコード番号＃１と＃２に係るコード変換について説明するが、他のコード番号の組み合わせ（例えば＃３と＃８、＃５と＃６など）に係るコード変換についても基本的に下記と同様である。また、全ての鍵の固有コード部は正常なものとし、固有コード生成手段４による内筒２の回動規制は働かないものとして説明する。ちなみに当該固有コード部が異常な場合は、当該回動規制は働くこととなり、固有コード生成手段４のドライバーピン４５による拘束によって内筒２が回動不可能となる。
【００２９】
（順方向のコード変更）
順方向（＃１→＃２）のコード変更時における、５段目の可変コード生成手段３の作用について説明する。
内筒２が通常の状態にあるとき、すなわちコードピン３２が基準位置Ｘにあるとき（図６（ａ）及び図１０（ａ）参照）、変更錠ＣＫ１を鍵穴２ａに差し込む（図６（ｂ）及び図１０（ｂ）参照）。このとき可変ピン３３は、ドライバーピン３６の付勢に従って内筒側摺動孔３１に収容されたままで可変ピン３３とコードピン３２の当接面が内筒２の外周面上にきた状態となるため、内筒２は反時計回り方向に回動可能になる。
【００３０】
次に、変更錠ＣＫ１を鍵穴２ａに差し込んだ状態のまま反時計回りに４５°回動操作してコードピン３２をコード変更位置Ｙに移動し、内筒側摺動孔３１を外筒側摺動孔３７に連通させる（図６（ｃ）参照）。このとき可変ピン３３は、内筒側摺動孔３１に収容された状態のままコード変更位置Ｙまで移動され、当該コード変更位置Ｙにおいてドライバーピン３９に当接した状態となる。
【００３１】
次に、変更錠ＣＫ１を鍵穴２ａから抜き取った後（図７（ａ）参照）、変更錠ＣＫ２を鍵穴２ａに差し込む（図７（ｂ）参照）。このとき可変ピン３３は、ドライバーピン３９の付勢に逆らって外筒側摺動孔３７に収容された状態となり、かつ可変ピン３３とコードピン３２の当接面が内筒２の外周面上にきた状態となるため、内筒２は時計回り方向に回動可能になる。
【００３２】
続いて、変更錠ＣＫ２を鍵穴２ａに差し込んだ状態のまま時計回りに４５°回動操作してコードピン３２を基準位置Ｘに移動し、内筒側摺動孔３１を外筒側摺動孔３２に連通させる（図７（ｃ）及び図１０（ｃ）参照）。このとき可変ピン３３は外筒側摺動孔３７に収容されたままであり、これにより順方向（＃１→＃２）のコード変更が完了する（図８（ａ）及び図１１（ａ）参照）。
【００３３】
以下、上記順方向のコード変更後（コード番号＃２）における、５段目の可変コード生成手段３の通常時の作用について説明する。
鍵を抜いた状態では、全てのドライバーピン３６が内筒２の外周面上に位置しているために内筒２は回動せず（図８（ａ）及び図１１（ａ）参照）、通常鍵ＮＫ１を鍵穴２ａに差し込んでも、５段目のドライバーピン３６が内筒２の外周面上に位置しているために内筒２は回動しない（図１１（ｂ）参照）。
【００３４】
これに対し、通常鍵ＮＫ２を鍵穴２ａに差し込むと、５段目のドライバーピン３６とコードピン３２の当接面が内筒２の外周面上に位置することとなる（図８（ｂ）及び図１１（ｃ）参照）。これにより、通常鍵ＮＫ２を鍵穴２ａに差し込んだ状態での内筒２の回動操作が可能となり、当該内筒２を時計回りに４５°回動操作して所定の開閉手段を作用させることができる（図８（ｃ）参照）。
【００３５】
（逆方向のコード変更）
逆方向（＃２→＃１）のコード変更時における、５段目の可変コード生成手段３の作用について説明する。
内筒２が通常の状態にあるとき、すなわちコードピン３２が基準位置Ｘにあるとき（図８（ａ）参照）、変更錠ＣＫ２を鍵穴２ａに差し込む（図７（ｃ）参照）。このときコードピン３２とドライバーピン３６との当接面が内筒２の外周面上にきた状態となるため、内筒２は反時計回り方向に回動可能になる。
【００３６】
次に、変更錠ＣＫ２を鍵穴２ａに差し込んだ状態のまま反時計回りに４５°回動操作してコードピン３２をコード変更位置Ｙに移動し、内筒側摺動孔３１を外筒側摺動孔３７に連通させる（図７（ｂ）参照）。このとき可変ピン３３は、外筒側摺動孔３７に収容されている。
【００３７】
次に、変更錠ＣＫ２を鍵穴２ａから抜き取った後（図７（ａ）参照）、変更錠ＣＫ１を鍵穴２ａに差し込む（図６（ｃ）参照）。このとき可変ピン３３は、ドライバーピン３８の付勢に従って内側摺動孔３１に収容された状態となり、かつ可変ピン３３とコードピン３２の当接面が内筒２の外周面上にきた状態となる。
【００３８】
続いて、変更錠ＣＫ１を鍵穴２ａに差し込んだ状態のまま時計回りに４５°回動操作してコードピン３２を基準位置Ｘに移動し、内筒側摺動孔３１を外筒側摺動孔３２に連通させる（図６（ｂ）参照）。このとき可変ピン３３は、内筒側摺動孔３１に収容された状態のまま基準位置Ｙまで移動され、当該基準位置Ｙにおいてドライバーピン３６に当接した状態となり、これにより逆方向（＃２→＃１）のコード変更が完了する（図６（ａ）及び図１２（ａ）参照）。
【００３９】
なお、上記一連の作用は５段目の可変コード生成手段３についてのものであるが、これらと並行して４段目の可変コード生成手段３についても上記順方向のコード変換と同様な可変ピン３３の授受が行われることとなる。これに対し、１〜３段目の可変コード生成手段３では、上述のコード変換（＃１→＃２、又は＃２→＃１）に関する限り、可変ピン３３の授受が行われることはない。
【００４０】
以下、上記逆方向のコード変更後（コード番号＃１）における、４・５段目の可変コード生成手段３の通常時の作用について説明する。
鍵を抜いた状態では、全てのドライバーピン３６が内筒２の外周面上に位置しているために内筒２は回動せず（図９（ａ）、及び図１２（ａ）参照）、通常鍵ＮＫ２を鍵穴２ａに差し込んでも、４段目のドライバーピン３６が内筒２の外周面上に位置しているために内筒２は回動しない（図１２（ｂ）参照）。
【００４１】
これに対し、通常鍵ＮＫ１を鍵穴２ａに差し込むと、４段目のドライバーピン３６とコードピン３２の当接面が内筒２の外周面上に位置するとともに、５段目のドライバーピン３６と可変ピン３３との当接面も内筒２の外周面上に位置することとなる（図９（ｂ）及び図１２（ｃ）参照）。これにより、通常鍵ＮＫ１を鍵穴２ａに差し込んだ状態での内筒２の回動操作が可能となり、当該内筒２を時計回りに４５°回動操作して所定の開閉手段を作用させることができる（図９（ｃ）参照）。
【００４２】
（その他）
上記実施形態においては、可変コード生成部３を５段、固有コード生成部４を４段備えることとしたが、これに限定されるものではなく、例えば、可変コード生成部３及び固有コード生成部４の数をそれぞれ２倍にするとか、逆にこれらの数を減らしても良い。また、２列以上の可変コード生成部３と１列の固有コード生成部４とを備えることとしてもよいし、可変コード生成部３のみを備えることとしてもよい。
【００４３】
【発明の効果】
本発明の可変コード型シリンダー錠は、上記構成を備えることにより、可変ピンの授受が可逆的に行えるので、従来の可変コード型シリンダー錠のように、有限の回数分だけのコード変更が可能ないわゆる使いきりではなく、コード変更を永久的に繰り返して行うことが可能となる。また、このシリンダー錠を用いれば、迅速かつ安全にコード変更を行うことができる。さらに、このシリンダー錠は、従来の可変コード型シリンダーの構造を大幅に変更することなく、簡易な構造でかつ低コストで製造できる。
【００４４】
具体的には、本発明の可変コード型シリンダー錠によれば、有限の可変コードを使い果たすことによるシリンダー錠の交換が不要となり、シリンダー錠の寿命までコード可変を行うことができるので、経済的である。
また、鍵を紛失したときであっても、既に行ったコード変更の回数を気にすることなく、新しいコードを導入することができる。
また、鍵の紛失が使用者の思い違いによる一時的なものであり、すぐに鍵が見つかった場合においても、迅速に元のコードを復活させることができる。
さらに、管理者が保守点検作業などを複数の作業者に委託するような場合において、各作業のローテーションを組んだり、当該作業のフォーメーションを変更したりするときも、シリンダー錠を交換することなく、迅速かつ経済的に対処することができる。
【図面の簡単な説明】
【図１】本発明の一実施形態に係る可変コード型シリンダー錠の横断面図（図２のＡ−Ａ断面）である。
【図２】同シリンダー錠の縦断面図（図１のＸ−ｘ断面）である。
【図３】同シリンダー錠に用いる、（ａ）変更鍵の平面図、及び（ｂ）通常鍵の平面図である。
【図４】同シリンダー錠の回動規制手段の構成を説明するための（ａ）正面図、（ｂ）Ｂ−Ｂ断面図、及び（ｃ）Ｃ−Ｃ断面図である。
【図５】同シリンダー錠による、（ａ）変更鍵に対する回動規制の説明図、及び（ｂ）通常鍵に対する回動規制の説明図である。
【図６】同シリンダー錠のコード変換時の作用を説明するための横断面図（図１０のＡ−Ａ断面）であり、（ａ）→（ｂ）→（ｃ）は順方向コード変換（その１）、（ｃ）→（ｂ）→（ａ）は逆方向コード変換（その２）である。
【図７】同シリンダー錠のコード変換時の作用を説明するための横断面図（図１０のＡ−Ａ断面）であり、（ａ）→（ｂ）→（ｃ）は順方向コード変換（その２）、（ｃ）→（ｂ）→（ａ）は逆方向コード変換（その１）である。
【図８】同シリンダー錠の通常時の作用を説明するための横断面図（図１１のＡ−Ａ断面）であり、（ａ）鍵を抜いた状態、（ｂ）通常鍵を差し込んだ状態、及び（ｃ）通常鍵を回動操作した状態である。
【図９】同シリンダー錠の通常時の作用を説明するための横断面図（図１２のＡ−Ａ断面）であり、（ａ）鍵を抜いた状態、（ｂ）通常鍵を差し込んだ状態、及び（ｃ）通常鍵を回動操作した状態である。
【図１０】同シリンダー錠のコード変換時の作用を説明するための縦断面図（図６、７のＸ−ｘ断面）であり、（ａ）鍵を抜いた状態、（ｂ）旧コードの変更鍵を差し込んだ状態、及び（ｃ）新コードの変更鍵を差し込んだ状態である。
【図１１】同シリンダー錠の通常時の作用を説明するための縦断面図（図８のＸ−ｘ断面）であり、順方向のコード変更後における、（ａ）鍵を抜いた状態、（ｂ）異常な通常鍵を差し込んだ状態、及び（ｃ）正常な通常鍵を差し込んだ状態である。
【図１２】同シリンダー錠の通常時の作用を説明するための縦断面図（図９のＸ−ｘ断面）であり、逆方向のコード変更後における、（ａ）鍵を抜いた状態、（ｂ）異常な通常鍵を差し込んだ状態、及び（ｃ）正常な通常鍵を差し込んだ状態である。
【図１３】従来の可変コード型シリンダー錠の横断面図であり、（ａ）鍵を抜いた状態、（ｂ−１〜３）通常時の状態、及び（ｃ−１〜３）コード変更時の状態である。
【符号の説明】
１　外筒
２　内筒
２ａ　鍵穴
２ｂ、ｃ　回転制御溝
３　可変コード生成部
３１　内筒側摺動孔
３２　コードピン
３３　可変ピン
３４、３７　外筒側摺動孔
３５、３８　スプリング
３６、３９　ドライバーピン
４　固有コード生成部
４１　内筒側摺動孔
４２　コードピン
４３、４６　外筒側摺動孔
４４、４７　スプリング
４５、４８　ドライバーピン
５ａ、ｂ　回転規制ピン
６　可変ピン収容孔
【図１】
2004011233.tif 000003
【図２】
2004011233.tif 000004
【図３】
2004011233.tif 000005
【図４】
2004011233.tif 000006
【図５】
2004011233.tif 000007
【図６】
2004011233.tif 000008
【図７】
2004011233.tif 000009
【図８】
2004011233.tif 000010
【図９】
2004011233.tif 000011
【図１０】
2004011233.tif 000012
【図１１】
2004011233.tif 000013
【図１２】
2004011233.tif 000014
【図１３】
2004011233.tif 000015